(57)【要約】【課題】落下水流が栓状になるのを防止して封水の吸い出しによる異音発生をなくすることができ、しかもゴミ等が溜まることのない排水トラップ装置を提供する。【解決手段】排水路内に下傾状の傾斜部８ｂ，９ａと、その下流に垂下状の垂直部９ｂを有する排水トラップ装置６において、傾斜部８ｂ，９ａと垂直部９ｂの交わる部分９ｃの内側に、傾斜部９ａの傾斜角が垂直部９ｂ内まで連続する連続傾斜面９３を設けて、排水路内に絞り部９ｅを形成させて構成する。【選択図】図２
2010222890.tif 000002
【特許請求の範囲】
【請求項１】
排水路内に、下傾状の傾斜部と、その下流に垂下状の垂直部を有する排水トラップ装置において、
前記傾斜部と前記垂直部の交わる部分の内側に、前記傾斜部の傾斜角が前記垂直部内まで連続する連続傾斜面を設けて前記排水路内に絞り部を形成させた
ことを特徴とする排水トラップ装置。
【請求項２】
前記絞り部を、
前記連続傾斜面と、該連続傾斜面の下端から略垂下状をなす垂下面と、該垂下面の下端から外方向へ略水平に延びる水平面から構成される凹部により形成することを特徴とする請求項１に記載の排水トラップ装置。
【請求項３】
前記傾斜部と前記垂直部が、
４５°で下傾する一次管と、該一次管の下流側に接続され１３５°の曲がり部を有する二次管とからなる
ことを特徴とする請求項１または請求項２に記載の排水トラップ装置。
【発明の詳細な説明】
【技術分野】
【０００１】
本発明は、排水トラップ装置に関するものである。
【背景技術】
【０００２】
従来、この種の排水トラップ装置として、例えば特許文献１に開示されているような構造のものがあり、この特許文献１の排水トラップ装置では、Ｓトラップの下向きに曲がり終えた第２下降部の上部管壁のうち、外曲がり側に凸部を配置して、落下水流が栓状になるのを防止し、封水の吸い出しによる異音の発生をなくすることができるものとしている。
【先行技術文献】
【特許文献】
【０００３】
【特許文献１】特開２００１−５９２４９号公報
【発明の概要】
【発明が解決しようとする課題】
【０００４】
上記特許文献１の排水トラップ装置では、異音の発生をなくすることができるが、外曲がり側に設けられている凸部にゴミが溜まりやすいという問題点があった。
【課題を解決するための手段】
【０００５】
本発明は、異音の発生を防止することができ、しかもゴミが溜まりにくい排水トラップ装置の提供を目的とし、この目的の少なくとも一部を達成するために以下の手段を採った。
本発明は、排水路内に、下傾状の傾斜部と、その下流に垂下状の垂直部を有する排水トラップ装置において、前記傾斜部と前記垂直部の交わる部分の内側に、前記傾斜部の傾斜角が前記垂直部内まで連続する連続傾斜面を設けて前記排水路内に絞り部を形成させたことを要旨とする。
【発明の効果】
【０００６】
本発明の排水トラップ装置では、傾斜部と垂直部の交わる部分の内側に絞り部を形成させたため、この絞り部により、垂直部内を落下する排水の水流が栓状になるのを防止でき、封水の吸い出しによる異音の発生をなくすことができる。
また、絞り部は傾斜部の傾斜角が垂直部内まで連続する連続傾斜面を設けて形成されたものであるため、連続傾斜面に沿って排水中のゴミ等が良好に垂直部内に落下し、連続傾斜面にはゴミが溜まらないものとなる。
【０００７】
また、本発明の排水トラップ装置において、前記絞り部を、前記連続傾斜面と、該連続傾斜面の下端から略垂下状をなす垂下面と、該垂下面の下端から外方向へ略水平に延びる水平面から構成される凹部により形成することもできる。
こうすれば、垂下面が、排水の流れる方向を安定させるガイドの役目を果たして、排水の流れが確実に真下方向を向くため、排水性能の安定化と異音防止性能の向上を図ることができる。
【０００８】
また、本発明の排水トラップ装置において、前記傾斜部と前記垂直部が、４５°で下傾する一次管と、該一次管の下流側に接続され１３５°の曲がり部を有する二次管とからなる構成とすることもできる。
こうすれば、４５°で下傾する一次管の下流側に、１３５°の曲り部を有する二次管を接続することで、排水トラップ装置における異音の発生を防ぎ、しかも内部にゴミが溜まらない構造を実現することができる。また、この別体の１３５°の曲り部を有する二次管は接続部で回転させることで、垂直部を水平状に配置することもでき、床排水にも壁排水にも対応できるものとなる。
【図面の簡単な説明】
【０００９】
【図１】洗面台の洗面器の底面に設けられた排水トラップ装置の全体構成図である。
【図２】排水トラップ装置の配管の拡大構成図である。
【図３】図２における排水導出管（二次管）の外観側面構成図である。
【図４】図３の縦断面構成図である。
【図５】排水導出管（二次管）の正面構成図である。
【発明を実施するための形態】
【００１０】
次に、本発明を実施するための形態を実施例を用いて説明する。
図１は、洗面台に設けられた排水トラップ装置の構成図であり、洗面台１のキャビネット２の上面側には洗面器３が設置されており、この洗面器３の排水口３ａには垂下状に排水案内管４が接続され、この排水案内管４の上方にはオーバーフロー管５が接続されている。排水案内管４の下端に、排水トラップ装置６を構成する、トラップ形成管７と、その下流側にＶ字形連結管８（一次管）と、その下流側に排水導出管９（二次管）が接続されている。
【００１１】
トラップ形成管７はＵ字状をなし、図２の拡大図で示すように、そのＵ字状の底側位置に水抜き孔７ａが形成されており、この水抜き孔７ａの外周の雄ネジ７ｂにはパッキン１０を介在させてドレンキャップ１１が着脱可能に取り付けられている。なお、このトラップ形成管７は下流側に乱流が生じないように管径が均一に形成されている。
【００１２】
このトラップ形成管７の下流に接続されるＶ字形連結管８は、垂直に立ち上がる起立部８ａと、起立部８ａの上端側から下方に向かって４５°に傾斜する傾斜部８ｂが、上端の折り曲げ部８ｃで連続されて、全体としてＶ字形に形成されている。
このＶ字形連結管８の起立部８ａをトラップ形成管７の下流端に上方より差し込んで、パッキン１２を介在させて手締めナット１３を締め付け、トラップ形成管７にＶ字形連結管８を連結することができる。
【００１３】
また、Ｖ字形連結管８の傾斜部８ｂの下端外周には雄ネジ８ｅが形成されており、この雄ネジ８ｅにパッキンを介在させて手締めナット１３を締め付け、Ｖ字形連結管８の下流に排水導出管９を連結することができる。
排水導出管９は全体がヘの字状に形成されており、上流側の傾斜部９ａと下流側の垂直部９ｂが曲がり部９ｃで連続されて形成されており、傾斜部９ａはＶ字形連結管８の傾斜部８ｂと同じ４５°の傾斜角をなし、垂直部９ｂは垂直状に形成されたものである。
【００１４】
排水導出管９は、図３の側面外観図で、また図４の側面縦断面構成図で、また図５の正面外観図で示すように、側面視して曲がり部９ｃの内側に凹ませて凹部９ｄが形成されており、この凹部９ｄにより垂直部９ｂの上端側に水路が絞られた絞り部９ｅが形成されている。
この凹部９ｄは、傾斜部９ａの内側の傾斜壁面９１から同じ傾斜角で連続して垂直部９ｂ内に傾斜する連続傾斜面９３と、この連続傾斜面９３の下端から略垂下状をなす垂下面９４と、垂下面９４の下端から外方向へ略水平に延びる水平面９５により凹み状に形成されたものである。
【００１５】
前記連続傾斜面９３は、垂直部９ｂの垂直な垂直壁面９２を上方へ延長した傾斜壁面９１との交差点Ｐよりも垂直部９ｂ側へ向かって連続して、傾斜壁面９１の傾斜角度で下傾状をなすため、Ｖ字形連結管８を通り流下される水流は、傾斜壁面９１から連続傾斜面９３に亘り流速を高めて絞り部９ｅ内に流入されるため、この連続傾斜面９３にはゴミが付着することがなく、水流は絞り部９ｅで絞られて排水導出管９の垂直部９ｂ内に流れ落ち、垂直部９ｂ内で落下水流が栓状になることが防がれ、垂直部９ｂ内が満水になることはなく、そのため、垂直部９ｂでの封水の吸い出しによるゴボゴボという異音の発生は生じないものである。また、凹部９ｄを構成する垂下面９４が、排水の流れる方向を安定させるガイドの役目を果たして、排水の流れが確実に真下方向を向くため、排水性能の安定化と異音防止性能の向上を図ることができる。
【００１６】
なお、排水導出管９は、例えばその外径寸法ａは３２ｍｍであり、内径寸法ｂは２８ｍｍである。また、絞り部９ｅの外径寸法ｃは１９ｍｍであり、絞り部９ｅの内径寸法ｄは１７ｍｍであり、絞り部９ｅの高さ寸法ｅは２２ｍｍである。また、傾斜部９ａの中心線と垂直部９ｂの中心線とのなす角度αは１３５°に設定されている。
【００１７】
このような図３〜図５に示す排水導出管９の傾斜部９ａを、Ｖ字形連結管８の傾斜部８ｂ内に差し込み、Ｖ字形連結管８内の当接段部８ｄに上端を当接させ、雄ネジ８ｅにパッキンを介在させて手締めナット１３を締め付けて、Ｖ字形連結管８に排水導出管９を連結して設置することができ、排水導出管９の垂直部９ｂを垂直に配置することで床排水構造となり、この垂直部９ｂでの封水の吸い出しを絞り部９ｅにより防いで、ゴボゴボ音等の異音の発生を良好に防ぐことができ、しかも絞り部９ｅの上端側の連続傾斜面９３にはゴミが溜まることがないように構成することができる。
なお、排水導出管９は手締めナット１３を緩めて回転させて、図１のように垂直部９ｂを略水平に配置させて、壁排水にも対応させることができるものである。
【符号の説明】
【００１８】
３  洗面器
４  排水案内管
６  排水トラップ装置
７  トラップ形成管
８  Ｖ字形連結管（一次管）
８ａ  起立部
８ｂ  傾斜部
９  排水導出管（二次管）
９ａ  傾斜部
９ｂ  垂直部
９ｃ  曲がり部
９ｄ  凹部
９ｅ  絞り部
９１  傾斜壁面
９２  垂直壁面
９３  連続傾斜面
９４  垂下面
９５  水平面
【図１】
2010222890.tif 000003
【図２】
2010222890.tif 000004
【図３】
2010222890.tif 000005
【図４】
2010222890.tif 000006
【図５】
2010222890.tif 000007